(57)【要約】【課題】広帯域化を図ることが可能なダブルクラッド型マルチモードファイバを含む光伝送路を提供する。【解決手段】ダブルクラッド型マルチモードファイバ２は、コア６と、このコア６の周囲に設けられる第１クラッド７と、第１クラッド７の周囲に設けられる第２クラッド８と、第２クラッド８の周囲に設けられるジャケット９とを備えて構成されている。ダブルクラッド型マルチモードファイバ２は、コア６がガラス製、第１クラッド７もガラス製となる一方、第２クラッド８は樹脂製となるファイバ構造を有している。ダブルクラッド型マルチモードファイバ２は、これに曲げや側圧を付加した場合であってもクラッドを伝搬するクラッディングモードを第２クラッド層除去部５にて放射することができるような構造の光ファイバになっている。光伝送路１はこのような光ファイバを含んでいる。【選択図】図１
2013130665.tif 000002
【特許請求の範囲】
【請求項１】
グレーデッドインデックス型となるガラス製のコアと、該コアの周囲に設けられ且つ該コアよりも小さな屈折率となるガラス製の第１クラッドと、該第１クラッドの周囲に設けられ且つ該第１クラッドよりも小さな屈折率となる樹脂製の第２クラッドとを備えるダブルクラッド型マルチモードファイバを含み、
該ダブルクラッド型マルチモードファイバのファイバ端末部においては前記第２クラッドの層を除去してなる第２クラッド層除去部を有する
ことを特徴とする光伝送路。
【請求項２】
請求項１に記載の光伝送路において、
少なくとも前記第２クラッド層除去部をフェルール取り付け部分とする
ことを特徴とする光伝送路。
【発明の詳細な説明】
【技術分野】
【０００１】
本発明は、ダブルクラッド型マルチモードファイバを含む光伝送路に関する。
【背景技術】
【０００２】
自動車内の光通信が普及してきており、その通信容量の増大とともに伝送帯域が大きな（広帯域）光ファイバが必要とされている。しかし、車載用部品としては、配索性（曲げ特性）や使用温度の範囲から汎用の広帯域光ファイバをそのまま流用することは難しい。そのため、広帯域かつ使用温度の範囲に適応することのできる低コストな配索性の観点で有効なダブルクラッド型マルチモードファイバの検討が必要である。
【先行技術文献】
【特許文献】
【０００３】
【特許文献１】特開２０１０−１８４８４７号公報
【発明の概要】
【発明が解決しようとする課題】
【０００４】
ところで、ダブルクラッド型マルチモードファイバにあっては、曲げや側圧を付加したときに、コア外に光が浸み出してクラッドを伝搬するクラッディングモード等（高次モードやリーキーモード）が発生する虞があり、コアを伝搬するモードとクラッディングモード間でのモード遅延が生じると、伝送品質（伝送後の波形）が劣化してしまうという問題点を有する。これは広帯域化への課題になると考えられる。
【０００５】
本発明は、上記した事情に鑑みてなされたもので、広帯域化を図ることが可能なダブルクラッド型マルチモードファイバを含む光伝送路を提供することを課題とする。
【課題を解決するための手段】
【０００６】
上記課題を解決するためになされた請求項１に記載の本発明の光伝送路は、グレーデッドインデックス型となるガラス製のコアと、該コアの周囲に設けられ且つ該コアよりも小さな屈折率となるガラス製の第１クラッドと、該第１クラッドの周囲に設けられ且つ該第１クラッドよりも小さな屈折率となる樹脂製の第２クラッドとを備えるダブルクラッド型マルチモードファイバを含み、該ダブルクラッド型マルチモードファイバのファイバ端末部においては前記第２クラッドの層を除去してなる第２クラッド層除去部を有することを特徴とする。
【０００７】
このような特徴を有する本発明によれば、ファイバに曲げや側圧を付加した場合、クラッドを伝搬するクラッディングモード、すなわち第２クラッド伝搬モードは第２クラッド層除去部で放射される。本発明によれば、モードフィルタ効果があり、そのためモード分散による伝送品質の劣化が抑えられる。
【０００８】
請求項２に記載の本発明の光伝送路は、請求項１に記載の光伝送路に係り、少なくとも前記第２クラッド層除去部をフェルール取り付け部分とすることを特徴とする。
【０００９】
このような特徴を有する本発明によれば、少なくとも第２クラッド層除去部にフェルールが取り付けられる。具体的には、フェルールの例えば先端部が固着状態に取り付けられる。フェルールが取り付けられると、第２クラッドの端末にフェルールの端部（又はフェルールの一部）が対向して遮蔽する。
【発明の効果】
【００１０】
請求項１に記載された本発明によれば、ファイバ端末部に第２クラッド層除去部を有するダブルクラッド型マルチモードファイバを含む光伝送路であり、第２クラッド層除去部は第２クラッドの層を除去してなることから、このようなダブルクラッド型マルチモードファイバに曲げや側圧を付加した場合、第２クラッド層除去部で第２クラッド伝搬モードを放射することができるという効果を奏する。従って、モード分散による伝送品質の劣化を抑えることができるという効果を奏する。本発明によれば、広帯域化を図ることができるという効果を奏する。
【００１１】
この他、本発明によれば、上記の如く第２クラッド伝搬モードを放射できることから、光伝送路において新たに部品や構造の追加をする必要がなく、そのため低コストで配索性の観点で有効な光伝送路を提供することができるという効果も奏する。
【００１２】
請求項２に記載された本発明によれば、第２クラッドの層を除去してなる第２クラッド層除去部を少なくともフェルールの取り付け部分とすることができるという効果を奏する。
【図面の簡単な説明】
【００１３】
【図１】本発明に係る図であり、（ａ）は光伝送路の概略図、（ｂ）はダブルクラッド型マルチモードファイバの端面図、（ｃ）は屈折率構造に係る図である。
【図２】ダブルクラッド型マルチモードファイバの端末処理に係る図であり、（ａ）はジャケット除去前の状態を示す斜視図、（ｂ）は第２クラッド除去前の状態を示す斜視図、（ｃ）は第２クラッド層除去部を形成した状態の斜視図である。
【図３】ファイバ端末部におけるフェルールの断面図（フェルールのみ断面図）である。
【図４】第２クラッドの層の除去有無での比較に係る図であり、（ａ）は伝送帯域への影響を示す図、（ｂ）は伝送後の波形比較に係る図である。
【発明を実施するための形態】
【００１４】
光伝送路は、ダブルクラッド型マルチモードファイバを含み、このダブルクラッド型マルチモードファイバは、ファイバ端末部に第２クラッド層除去部を有する。
【実施例】
【００１５】
以下、図面を参照しながら実施例を説明する。図１（ａ）は光伝送路の概略図、図１（ｂ）はダブルクラッド型マルチモードファイバの端面図、図１（ｃ）は屈折率構造に係る図である。また、図２はダブルクラッド型マルチモードファイバの端末処理に係る図、図３はファイバ端末部におけるフェルールの断面図、図４は第２クラッドの層の除去有無での比較に係る図である。
【００１６】
以下の説明において、具体的な形状、材料、数値、方向等は、本発明の理解を容易にするための例示であって、用途、目的、仕様等に合わせて適宜変更することができるものとする。
【００１７】
図１において、光伝送路１は、ダブルクラッド型マルチモードファイバ２と、このファイバ端末部３に取り付けられるフェルール４とを備えて構成されている。フェルール４は、ファイバ端末部３の少なくとも第２クラッド層除去部５を含んで取り付けられている。ダブルクラッド型マルチモードファイバ２は、これに曲げや側圧を付加した場合であってもクラッドを伝搬するクラッディングモードを第２クラッド層除去部５にて除去することができるような構造の光ファイバになっている。
【００１８】
先ず、ダブルクラッド型マルチモードファイバ２の構成及び構造について説明をする。尚、上記フェルール４は、公知のものであるものとし、図３を参照しながら後述するものとする。
【００１９】
ダブルクラッド型マルチモードファイバ２は、コア６と、このコア６の周囲に設けられる第１クラッド７と、第１クラッド７の周囲に設けられる第２クラッド８と、第２クラッド８の周囲に設けられるジャケット９とを備えて構成されている。ダブルクラッド型マルチモードファイバ２は、コア６がガラス製（ＳｉＯ２  ｗｉｔｈ  Ｇｅ）、第１クラッド７もガラス製（ＳｉＯ２）となる一方、第２クラッド８は樹脂製（フッ素系樹脂等）となるファイバ構造を有している。
【００２０】
コア６は、この径が例えば５０μｍ又は６２．５μｍに形成されている。コア６は、グレーデッドインデックス型のものになっている。第１クラッド７は、この径が例えば１２５μｍに形成されている。第１クラッド７は、矢印Ａで示す如く屈折率がｎ＝１．４５２程度のものになっている。第２クラッド８は、この径が例えば１５０μｍに形成されている。第２クラッド８は、矢印Ｂで示す如く屈折率がｎ＝１．４５１〜１．４程度のものになっている。ジャケット９は、上記ファイバ構造に対し公知の樹脂材料を押出被覆することにより形成されている。ジャケット９の径は、例えば４００μｍになっている。
【００２１】
第２クラッド層除去部５は、ファイバ端末部３における第２クラッド８（の層）を所定長さで除去することにより形成されている。本実施例における除去長さは、特に限定するものでないが、６〜１０ｍｍ程度に設定されている。第２クラッド８の除去長さは、フェルール４内での先端部固着長に合わせて設定されている。
【００２２】
次に、ダブルクラッド型マルチモードファイバ２の端末処理について説明をする。
【００２３】
図２（ａ）において、ダブルクラッド型マルチモードファイバ２のファイバ端末部３はジャケット９により覆われた状態になっている。このような状態から図２（ｂ）に示す如く所定長さでジャケット９（の層）を除去すると、第２クラッド８が露出する。尚、ジャケット９の除去に関しては、図示しないジャケットリムーバー等を用いることが一例として挙げられる。
【００２４】
第２クラッド８が露出した状態から図２（ｃ）に示す如く所定長さで第２クラッド８（の層）を除去すると、第１クラッド７が露出するとともに第２クラッド層除去部５が形成される。尚、本実施例においては上記の如く６〜１０ｍｍ程度の長さで第２クラッド８を除去するが、この限りでないものとする（ファイバ端部から数ｍｍ〜数十ｍｍであればよいものとする）。
【００２５】
第２クラッド８の除去に関しては、本実施例の第２クラッド８がフッ素系樹脂製であり、コア６及び第１クラッド７がガラス製であることから、アセトン等の溶媒に浸漬して除去する方法が採用されている（これ以外としては、ジャケット９と同様にジャケットリムーバー等を用いて除去する方法が挙げられるものとする。第２クラッド８は、ジャケット９と一緒にジャケットリムーバー等で除去してもよいものとする。ここで挙げた例はシンプルな除去方法であり有用である）。
【００２６】
以上により端末処理が完了する。第２クラッド層除去部５が形成されたファイバ端末部３は、フェルール４（図１参照）を取り付けすることが可能な状態になる。尚、フェルール４の内径は、第２クラッド８を除去して露出した第１クラッド７の径に合うような、具体的には露出した第１クラッド７にフィットするようなφ１２５μｍ程度の内径に設定されるものとする。フェルール４の取り付け後は、フェルール先端の端面加工がなされるものとする。
【００２７】
続いて、図３を参照しながら、ファイバ端末部３に取り付けられるフェルール４の一例について説明をする。
【００２８】
フェルール４は、フェルール先端面１０を有する先端部１１と、フランジ１２を有する中間部１３と、ファイバ挿入側となる後端部１４と、第２クラッド層除去部５が形成されたファイバ端末部３の挿入部分となるファイバ挿入穴１５とを有している。ファイバ挿入穴１５は、第２クラッド層除去部５の挿入部分となる小径部１６と、第２クラッド８の挿入部分となる大径部１７と、これら小径部１６及び大径部１７をつなぐテーパ部１８とで構成されている。
【００２９】
テーパ部１８は、大径部１７から小径部１６へとスムーズな挿入案内をする部分として形成されている。テーパ部１８は、図示の如くテーパ形状に形成されている。フェルール先端面１０は、端面加工がなされた状態で図示されている。
【００３０】
フェルール４は、ファイバ挿入穴１５に充填された図示しない接着剤にてファイバ端末部３を固着状態に取り付けることができるようになっている。
【００３１】
続いて、第２クラッド８（の層）の除去有無による効果を伝送帯域の距離特性で比較し、その結果について図４を参照しながら説明をする。尚、必要に応じて図１ないし図３も参照するものとする。
【００３２】
図４（ａ）において、ダブルクラッド型マルチモードファイバ２のファイバ端末部３における第２クラッド８を除去した光伝送路１（第２クラッド層除去部５を形成した光伝送路１）と、第２クラッド層を除去していない光伝送路とを比較すると、前者の方が後者よりも伝送帯域が大きくなることが分かった。具体的に説明すると、ＬＮＡ０．１５でのファイバ長８５０ｍにて両者（上記の前者及び後者）を比較した結果、後者の方の伝送帯域は、前者に比べ０．１５ＧＨｚ劣っていた。また、ファイバ長４００ｍにおいては０．１１ＧＨｚ劣っていた。
【００３３】
この他、図４（ｂ）に示す如く両者の伝送後の波形（上記前者の波形：ａ、後者の波形：ｂ）を比較すると、前者は波形の劣化が少ないことが分かった。
【００３４】
以上、図１ないし図４を参照しながら説明してきたように、ダブルクラッド型マルチモードファイバ２はファイバ端末部３に第２クラッド層除去部５を有し、この第２クラッド層除去部５は第２クラッド８の層を除去してなることから、このようなダブルクラッド型マルチモードファイバ２に曲げや側圧を付加した場合、クラッドを伝搬するクラッディングモード、すなわち第２クラッド伝搬モードを第２クラッド層除去部５にて放射することができる。従って、モード分散による伝送品質の劣化を抑えることができる。また、広帯域化を図ることもできる。
【００３５】
光伝送路１によれば、ダブルクラッド型マルチモードファイバ２を含むものであることから、容易に広帯域化を図ることができるのは勿論のこと、上記構成及び構造から分かるように新たに部品や構造の追加をする必要がなく、そのため低コストでの提供をすることができる。また、配索性の観点で有効な光伝送路１として提供することもできる。
【００３６】
本発明は本発明の主旨を変えない範囲で種々変更実施可能なことは勿論である。
【符号の説明】
【００３７】
１…光伝送路
２…ダブルクラッド型マルチモードファイバ
３…ファイバ端末部
４…フェルール
５…第２クラッド層除去部
６…コア
７…第１クラッド
８…第２クラッド
９…ジャケット
１０…フェルール先端面
１１…先端部
１２…フランジ
１３…中間部
１４…後端部
１５…ファイバ挿入穴
１６…小径部
１７…大径部
１８…テーパ部
【図１】
2013130665.tif 000003
【図２】
2013130665.tif 000004
【図３】
2013130665.tif 000005
【図４】
2013130665.tif 000006